(57)【要約】【課題】低ランニングコストで集塵手段に大きな振動を伝えることができ、その結果、集塵手段に付着した塵埃を効率的に除塵できることで、塵埃を集塵し続けても集塵性能が落ち難い電気掃除機を提供することを目的とする。【解決手段】吸引風を発する電動送風機１５と、塵埃を捕集する集塵手段１３と、前記集塵手段１３に付着した塵埃を除塵する除塵手段（２７、２８、２９）とを備え、前記除塵手段は、前記集塵手段１３に動作を加える除塵部２９と、前記除塵部２９を動作させるカム２８とから構成されたもので、集塵手段１３に付着した塵埃を効率的に除塵できることで、塵埃を集塵し続けても集塵性能が落ち難い電気掃除機を提供できる。【選択図】  図１
2005013256.tif 000002
【特許請求の範囲】
【請求項１】
吸引風を発する電動送風機と、塵埃を捕集する集塵手段と、前記集塵手段に付着した塵埃を除塵する除塵手段とを備え、前記除塵手段は、前記集塵手段に動作を加える除塵部と、前記除塵部を動作させるカムとから構成された電気掃除機。
【請求項２】
吸引風を発する電動送風機と、塵埃を捕集する集塵手段と、前記集塵手段に付着した塵埃を除塵する除塵手段とを備え、前記除塵手段は、前記集塵手段の表面に接触する凸部を備えた除塵部を有する電気掃除機。
【請求項３】
吸引風を発する電動送風機と、塵埃を捕集する集塵手段と、前記集塵手段に付着した塵埃を除塵する除塵手段とを備え、前記除塵手段は、前記集塵手段に動作を加える除塵部と、駆動手段と、前記駆動手段と前記除塵部とを連結する連結軸とから構成される電気掃除機。
【請求項４】
除塵部は弾性体にて動作方向に付勢されてなる請求項１記載の電気掃除機。
【請求項５】
カムが回転することで、除塵部が略上下方向に動作する請求項１または４記載の電気掃除機。
【請求項６】
カムが回転することで、除塵部が略水平方向に動作する請求項１または４記載の電気掃除機。
【請求項７】
カムは電動機に連結されてなる請求項１、５、６のいずれか１項に記載の電気掃除機。
【請求項８】
除塵部は、電動機に連結されたベルトである請求項２記載の電気掃除機。
【請求項９】
除塵部は、超音波発生装置が発する超音波により動作する請求項２記載の電気掃除機。
【請求項１０】
移動用車輪と、前記移動用車輪と連結した歯車とを備え、除塵部は、前記移動用車輪、前記歯車の回転に連動して動作する請求項２記載の電気掃除機。
【請求項１１】
電源コードと、前記電源コードを巻き取るコードリールと、前記コードリールと連結した歯車とを備え、除塵部は、前記コードリール、前記歯車の回転に連動して動作する請求項２記載の電気掃除機。
【発明の詳細な説明】
【０００１】
【発明の属する技術分野】
本発明は、紙袋に塵埃が溜まっても吸塵力の低下を防止できる電気掃除機に関するものである。
【０００２】
【従来の技術】
従来の電気掃除機を、図１４を用いて説明する。
【０００３】
従来の電気掃除機にあっては、図１４に示すような構成となっていた。すなわち、吸引用の電動送風機１を内蔵した電動機室２と紙袋３を内蔵した集塵室４とを持ち、前記集塵室４の前部に発振子５を備え、紙袋３の後部に圧電式の振動子６を有している。前記振動子６は、集塵室４内に、紙袋３後部に接して設けているものである。
【０００４】
上記構成による電気掃除機では、紙袋３に塵埃が吸い込まれた時、紙袋３の後方に保持している振動子６により、紙袋３の内部に付着した塵埃を除去するものである（例えば、特許文献１参照）。
【０００５】
【特許文献１】
特開平５−１９２２７８号公報
【０００６】
【発明が解決しようとする課題】
しかしながら、上記従来の構成では、紙袋３の内部に付着した微細塵を叩き落とすとき、紙袋３に接している振動子６の振動は、軟質の紙袋３により振動が吸収されるため、紙袋３に大きな振動を与えることができないし、また、大きな振動を与えようとすると、大きな電力を必要とし、高ランニングコストになるとい問題があった。
【０００７】
本発明は上記課題を解決するものであり、低ランニングコストで集塵手段に大きな振動を伝えることができ、その結果、集塵手段に付着した塵埃を効率的に除塵できることで、塵埃を集塵し続けても集塵性能が落ち難い電気掃除機を提供することを目的とする。
【０００８】
【課題を解決するための手段】
上記目的を達成するために本発明は、吸引風を発する電動送風機と、塵埃を捕集する集塵手段と、前記集塵手段に付着した塵埃を除塵する除塵手段とを備え、前記除塵手段は、前記集塵手段に動作を加える除塵部と、前記除塵部を動作させるカムとから構成されたもので、カムの形状を変更するだけで、低ランニングコストで集塵手段に大きな振動を伝えることができ、その結果、集塵手段に付着した塵埃を効率的に除塵できることで、塵埃を集塵し続けても集塵性能が落ち難い電気掃除機を提供できる。
【０００９】
【発明の実施の形態】
本発明の請求項１記載の発明は、吸引風を発する電動送風機と、塵埃を捕集する集塵手段と、前記集塵手段に付着した塵埃を除塵する除塵手段とを備え、前記除塵手段は、前記集塵手段に動作を加える除塵部と、前記除塵部を動作させるカムとから構成されたもので、カムの形状を変更するだけで、低ランニングコストで集塵手段に大きな振動を伝えることができ、その結果、集塵手段に付着した塵埃を効率的に除塵できることで、塵埃を集塵し続けても集塵性能が落ち難い電気掃除機を提供できる。
【００１０】
本発明の請求項２記載の発明は、吸引風を発する電動送風機と、塵埃を捕集する集塵手段と、前記集塵手段に付着した塵埃を除塵する除塵手段とを備え、前記除塵手段は、前記集塵手段の表面に接触する凸部を備えた除塵部を有するもので、集塵手段の表面に接触する凸部の形状を変更するだけで、低ランニングコストで集塵手段に大きな振動を伝えることができ、その結果、集塵手段に付着した塵埃を効率的に除塵できることで、塵埃を集塵し続けても集塵性能が落ち難い電気掃除機を提供できる。
【００１１】
本発明の請求項３記載の発明は、吸引風を発する電動送風機と、塵埃を捕集する集塵手段と、前記集塵手段に付着した塵埃を除塵する除塵手段とを備え、前記除塵手段は、前記集塵手段に動作を加える除塵部と、駆動手段と、前記駆動手段と前記除塵部とを連結する連結軸とから構成されるもので、連結軸の形状および長さを変更するだけで、低ランニングコストで集塵手段に大きな振動を伝えることができ、その結果、集塵手段に付着した塵埃を効率的に除塵できることで、塵埃を集塵し続けても集塵性能が落ち難い電気掃除機を提供できる。
【００１２】
本発明の請求項４記載の発明は、除塵部は弾性体にて動作方向に付勢されてなるもので、除塵部が弾性体にて動作方向に付勢されているので、低ランニングコストで集塵手段に大きな振動を伝えることができ、これにより、集塵手段である紙袋の繊維内に入り込んだ塵埃を振動により除去する。これにより、初期の吸込み力を長期間維持することができる。
【００１３】
本発明の請求項５記載の発明は、カムが回転することで、除塵部が略上下方向に動作するもので、カムの形状を変更するだけで、低ランニングコストで集塵手段に大きな振動を伝えることができ、その結果、集塵手段の上下方向に付着した塵埃を効率的に除塵できることで、塵埃を集塵し続けても集塵性能が落ち難い電気掃除機を提供できる。
【００１４】
本発明の請求項６記載の発明は、カムが回転することで、除塵部が略水平方向に動作するもので、カムの形状を変更するだけで、低ランニングコストかつ略水平方向に動作するため低騒音で、集塵手段に大きな振動を伝えることができ、その結果、集塵手段に付着した塵埃を効率的に除塵できることで、塵埃を集塵し続けても集塵性能が落ち難い電気掃除機を提供できる。
【００１５】
本発明の請求項７記載の発明は、カムは電動機に連結されてなるもので、カムを回転させる構成を容易に実現できる。
【００１６】
本発明の請求項８記載の発明は、除塵部は、電動機に連結されたベルトであるもので、除塵部を動作させる構成を容易に実現できる。
【００１７】
本発明の請求項９記載の発明は、除塵部は、超音波発生装置が発する超音波により動作するもので、除塵部を動作させる構成を容易に実現できる。
【００１８】
本発明の請求項１０記載の発明は、移動用車輪と、前記移動用車輪と連結した歯車とを備え、除塵部は、前記移動用車輪、前記歯車の回転に連動して動作するもので、掃除中には常に移動用車輪は回転するので、除塵部が動作する機会が多いため、低ランニングコストかつ集塵手段に付着した塵埃を効率的に除塵でき、その結果、塵埃を集塵し続けても集塵性能が落ち難い電気掃除機を提供できる。
【００１９】
本発明の請求項１１記載の発明は、電源コードと、前記電源コードを巻き取るコードリールと、前記コードリールと連結した歯車とを備え、除塵部は、前記コードリール、前記歯車の回転に連動して動作するもので、掃除前後には常にコードリールは回転するので、除塵部が動作する機会が多いため、低ランニングコストかつ集塵手段に付着した塵埃を効率的に除塵でき、その結果、塵埃を集塵し続けても集塵性能が落ち難い電気掃除機を提供できる。
【００２０】
【実施例】
以下、本発明の一実施例を図１〜図１１を用いて説明する。
【００２１】
図１において、掃除機本体１１は、外郭を形成する上方開口した下カバー１２の前方に吸引した塵埃を捕集する集塵手段である紙袋１３を収納する集塵室１４と、前記紙袋１３の後方には吸引風を発生する電動送風機１５を収納する電動送風機室１６とを設けている。電動送風機室１６の上方を上カバー１７によって覆い、電動送風機１５はクッション１８を介して下カバー１２と上カバー１７とで狭持している。集塵室１４の上方は、上カバー１７に軸支して開閉自在に回動する蓋体１９によって覆っており、また、集塵室１４を仕切る仕切壁２０を下カバー１２及び蓋体１９に相対するように設けており、集塵室１４と電動送風機室１６とは仕切壁２０によって仕切っており、仕切壁２０に連通口２２を設け、集塵室１４と電動送風機１５とが連通するように構成している。また、この連通口２２には格子状にリブを形成している。
【００２２】
集塵室１４の前方には、前壁２３が形成され、そこには、逆止弁２４が保持されている。その逆止弁２４に密着して紙袋１３が保持されている。この紙袋１３と逆支弁とは、気密が保たれている。集塵室１４の下部の空間には、電動機２７が収納され、その電動機２７の軸にはカム２８が固定されている。このカム２８は回転する時に、除塵部である振動板２９を押し上げる位置に設置されている。電動機２７とカム２８と除塵部である振動板２９とで除塵手段を構成している。
【００２３】
電動機２７を駆動させるとカム２８も同時に回転する。これにより振動板２９を上方向に移動させ、次に下方向に移動させる動作を、前記上方向に移動させる速度より早い速度で行うこととなる。これにより紙袋１３下部は振動し、紙袋１３の繊維に入り込んだ微細塵は振い落とされることとなる。集塵力の低下は、紙袋１３の繊維中に微細塵が入り込み通気口を塞ぐことによって引き起こされるが、紙袋１３に付着した細塵を取り除くことで通気性が回復する。これにより、初期の吸込み力が長く維持できることとなり最後まで強い吸込み性が維持できる。なお、電動機２７の回転速度やカム２８の形状を変更することで、振動板２９を上下方向に移動させる動作速度を調整でき、紙袋１３に大きな振動を伝えることができる。
【００２４】
次に、第２の方法を図２に示す。図２のように、集塵室１４の後方に駆動手段である電動機２７を保持し、前記電動機２７と振動板２９とを連結軸３０を介して連結している。電動機２７と振動板２９とを連結軸３０とで除塵手段を構成している。電動機２７を回転させると、前記連結軸３０は前後方向に往復移動する。これにより振動板３１も前後に動く。この時、紙袋１３の口紙３３は、口紙押え３４により固定されているため、紙袋１３の紙部３５のみが前後に振動する。従って振動により、口紙３３部からゴミは洩れる心配はない。紙袋１３を振動させることにより細塵が除去され、初期の集塵性能が維持できる。
【００２５】
次に、第３の方法を図３に示す。図３のように、集塵室１４の上部の空間にカム２８を有する電動機２７を保持する。これにより電動機２７を運転すると、カム２８が振動板２９を叩き、紙袋１３の上部に溜まった塵埃を振るい落とす。これにより細塵が除去され、初期の集塵性能が維持できる。
【００２６】
次に、第４の方法を図４に示す。図４のように、集塵室１４の上部の空間にカム２８を有する電動機２７を保持する。その下方に水平方向に移動する振動板２９を前後に移動可能に保持している。振動板２９の端部には、ばねである弾性体４２が保持され、振動板２９を常に前方へ位置させるようにしている。これにより、電動機２７を運転すると振動板２９が前後に振動し、振動板２９の表面に保持している凸部４３が、紙袋１３の上部表面を叩いて細塵が除去する。これにより、初期の集塵性能が維持できる。
【００２７】
次に、第５の方法を図５に示す。図５のように、集塵室１４の下部に電動機２７を保持する。電動機２７とベルト４５と除塵部であるベルト４６とで除塵手段を構成している。この電動機２７は、ベルト４５にて後方の除塵部である表面に凸部を有するベルト４６に連結されている。これにより、紙袋１３の後部表面を、ベルト４６表面の凸部により叩き、塵埃を紙袋１３から除去することで除塵を行う。これにより初期の吸込み力が維持できる。
【００２８】
次に、第６の方法を図６に示す。図６のように、集塵室１４の下部に電動機２７を保持する。この電動機２７は、ベルト４５にて下方の除塵部である表面に凸部を有するベルト４６に連結されている。これにより、紙袋１３の上部表面を、ベルト４６表面の凸部により叩き、塵埃を紙袋１３から除去することで除塵を行う。これにより初期の吸込み力が維持できる。
【００２９】
次に、第７の方法を図７に示す。図７のように、集塵室１４の底部に凸部５０を有する除塵部である振動板５１を、前後方向に移動可能に保持し、その下部に超音波振動体５２を保持している。除塵部である振動板５１と超音波振動体５２とで除塵手段を構成している。超音波振動体５２を運転すると、前記凸部５０が紙袋１３の下部表面を叩き、塵埃を紙袋１３から分離することとなる。これにより紙袋１３の通気性が回復し、初期の集塵性を維持できる。
【００３０】
次に、第８の方法を図８に示す。図９のように、集塵室１４の上部に凸部５０を有する除塵部である振動板５１を、前後方向に移動可能に保持し、その上部に超音波振動体５２を保持している。超音波振動体５２を運転すると、前記凸部５０が紙袋１３の上部表面を叩き、塵埃を紙袋１３から分離することとなる。これにより紙袋１３の通気性が回復し、初期の集塵性を維持できる。
【００３１】
次に、第９の方法を図９に示す。図９のように、集塵室１４の後方に凸部５６を有する除塵部である振動板５７を配し、電動送風機室１６には、移動用車輪５８の軸５９に連結したベルト６０により、隔壁部６１に回転自在に保持した歯車６２と連結している。これにより、本体を移動させると移動用車輪５８が回転し、それに連動して集塵室１４に保持している振動板５７が、上下に移動して紙袋１３の表面を叩き、前記紙袋１３内に付着している塵埃を除塵することとなる。これにより紙袋１３の除塵が行え、吸込力が保持できる。
【００３２】
次に、第１０の方法を図１０に示す。図１０のように、電源コード（図示せず）のコードリール６３の軸５９に連結したベルト６４により隔壁部６５に回転自在に保持した歯車６６と連結している。これにより、電源コードを引出したり、巻き込んだりするとコードリール６３が回転し、それに連動して集塵室１４に保持している振動板５７が、上下に移動して紙袋１３の表面を叩き、前記紙袋１３内に付着している塵埃を除塵することとなる。これにより紙袋１３の除塵が行え、吸込力が保持できる。
【００３３】
【発明の効果】
本発明によれば、低ランニングコストで集塵手段に大きな振動を伝えることができ、その結果、集塵手段に付着した塵埃を効率的に除塵できることで、塵埃を集塵し続けても集塵性能が落ち難い電気掃除機を提供することができる。
【図面の簡単な説明】
【図１】本発明の一実施例を示す電気掃除機本体の縦断面図
【図２】同他の電気掃除機本体の縦断面図
【図３】同他の電気掃除機本体の縦断面図
【図４】同他の電気掃除機本体の縦断面図
【図５】同他の電気掃除機本体の縦断面図
【図６】同他の電気掃除機本体の縦断面図
【図７】同他の電気掃除機本体の縦断面図
【図８】同他の電気掃除機本体の縦断面図
【図９】同他の電気掃除機本体の縦断面図
【図１０】同他の電気掃除機本体の縦断面図
【図１１】従来の電気掃除機本体の縦断面図
【符号の説明】
１１  掃除機本体
１３  紙袋（集塵手段）
１４  集塵室
１５  電動送風機
２７  電動機
２８  カム
２９  振動板（除塵部）
【図１】
2005013256.tif 000003
【図２】
2005013256.tif 000004
【図３】
2005013256.tif 000005
【図４】
2005013256.tif 000006
【図５】
2005013256.tif 000007
【図６】
2005013256.tif 000008
【図７】
2005013256.tif 000009
【図８】
2005013256.tif 000010
【図９】
2005013256.tif 000011
【図１０】
2005013256.tif 000012
【図１１】
2005013256.tif 000013